(57)【要約】【課題】１台の情報処理装置を用いて説明者と閲覧者が対面してプレゼンテーションを行う際に、閲覧者にとってプレゼン資料が見やすく、説明者にとってプレゼン資料の操作が容易な情報処理装置、その制御方法及びプログラムを提供する。【解決手段】ポインティングデバイス１０５とディスプレイ１０１を有するノートパソコン１００は、ユーザによるプレゼンテーションを支援するプレゼン支援モードへ移行するか否かを判断するプレゼン支援モード判断部１１１と、装置がプレゼン支援モードにあるときに、ポインティングデバイス１０５への入力に基づくカーソルの移動情報の向きを反転させる上下左右反転制御部１１３と、カーソルを除いたＧＵＩ表示とカーソル表示とを組み合わせて画面表示を生成する画面オーバーレイ制御部１１７と、生成された画面表示を１８０°回転させる画面回転制御部１１８と、を有する。【選択図】図２
2010086079.tif 000002
【特許請求の範囲】
【請求項１】
ユーザによるポインティングデバイスの操作に対応して移動するポインタと、前記ポインタを除いたグラフィカルユーザインタフェースとを合わせて表示可能な表示デバイスを有し、
前記ポインタの表示方向と前記ポインタを除いたグラフィカルユーザインタフェースの表示方向とが一致している第１の表示モードと、
前記ポインタの表示方向と前記ポインタを除いたグラフィカルユーザインタフェースの表示方向とが反転している第２の表示モードと、
を備えることを特徴とする、情報処理装置。
【請求項２】
前記第２の表示モードへ移行するか否かを判断するプレゼン支援モード判断手段を有し、
装置が前記第１の表示モードにあるときに、前記ポインタを除いたグラフィカルユーザインタフェースと前記ポインタとを組み合わせて画面表示を生成し、
前記プレゼン支援モード判断手段により前記第２の表示モードへ移行する判断がされた場合に、前記ポインティングデバイスへの入力に基づくカーソルの移動情報の向きを反転させ、前記カーソルを除いたグラフィカルユーザインタフェースの表示と前記カーソルとを組み合わせて画面表示を生成し、生成された画面表示を１８０°回転させて、
前記表示デバイスへ画面表示を出力する制御部を備えることを特徴とする、請求項１記載の情報処理装置。
【請求項３】
前記表示デバイスが設置された第１の筐体と、
前記ポインティングデバイスが設置された第２の筐体と、
前記第１の筐体及び前記第２の筐体を連結するヒンジ部と、を有し、
前記ヒンジ部は、前記表示デバイスの設置面と前記ポインティングデバイスの設置面とのなす角が約１８０°になる機構を備えることを特徴とする、請求項２記載の情報処理装置。
【請求項４】
前記プレゼン支援モード判断手段は、前記ヒンジ部における前記表示デバイスの設置面と前記ポインティングデバイスの設置面とのなす角が約１８０°になった場合に、第２の表示モードへ自動で移行する判断をすることを特徴とする、請求項３記載の情報処理装置。
【請求項５】
前記ヒンジ部における前記表示デバイスの設置面と前記ポインティングデバイスの設置面とのなす角が約１８０°になっているとき、前記ポインティングデバイスに対して前記表示デバイスを挟んで反対側に人物がいることを検出する人物感知手段を有し、
前記プレゼン支援モード判断手段は、前記人物感知手段による人物の検出がある場合に、第２の表示モードへ自動で移行する判断をすることを特徴とする、請求項３又は４記載の情報処理装置。
【請求項６】
前記人物感知手段は、カメラを用いて人物を検出することを特徴とする、請求項５記載の情報処理装置。
【請求項７】
ユーザによるポインティングデバイスの操作に対応して移動するポインタと、前記ポインタを除いたグラフィカルユーザインタフェースとを合わせて表示可能な表示デバイスを有する情報処理装置の制御方法であって、
前記ポインタの表示方向と前記ポインタを除いたグラフィカルユーザインタフェースの表示方向とが一致している第１の表示モードと、
前記ポインタの表示方向と前記ポインタを除いたグラフィカルユーザインタフェースの表示方向とが反転している第２の表示モードと、
を備えることを特徴とする、情報処理装置の制御方法。
【請求項８】
ユーザによるポインティングデバイスの操作に対応して移動するポインタと、前記ポインタを除いたグラフィカルユーザインタフェースとを合わせて表示可能な表示デバイスを有する情報処理装置に、
前記ポインタの表示方向と前記ポインタを除いたグラフィカルユーザインタフェースの表示方向とが一致している第１の表示モードと、
前記ポインタの表示方向と前記ポインタを除いたグラフィカルユーザインタフェースの表示方向とが反転している第２の表示モードと、
を備えさせることを特徴とする、プログラム。
【発明の詳細な説明】
【技術分野】
【０００１】
本発明は、情報処理装置、その制御方法及びプログラムに関し、特に、ユーザによるプレゼンテーションを支援するプレゼン支援モードを備える情報処理装置に関する。
【背景技術】
【０００２】
本発明に関連する技術としては、特許文献１に記載されているものがある。特許文献１は、商品販売のために提供するプレゼンテーション（以下、「プレゼン」という）において、説明者（販売員）と閲覧者（顧客）が連動する個々の端末を扱い、プレゼン対象となる資料やコンテンツを閲覧・操作することで、プレゼン操作の改善を行う技術について開示する。また、利用シーンについて、説明者と閲覧者が対面着座している旨の記載がある。
【特許文献１】特開平０６−１１０４２３号公報
【発明の開示】
【発明が解決しようとする課題】
【０００３】
しかしながら、上記技術は、人数に応じて連動する別個の端末を用意しなければならないという問題点があった。また、１台の端末を使用して説明と閲覧を行う場合、操作時と閲覧時にはそれぞれ別の方向へ端末を向けなければならない。
【０００４】
そこで本発明は、上記実情に鑑みて、１台の情報処理装置を用いて説明者と閲覧者が対面してプレゼンテーションを行う際に、閲覧者にとってプレゼン資料が見やすく、説明者にとってプレゼン資料の操作が容易な情報処理装置、その制御方法及びプログラムを提供することを目的とする。
【課題を解決するための手段】
【０００５】
上記目的を達成するために、以下の構成を特徴とする発明を提供する。
【０００６】
本発明に係る情報処理装置は、ユーザによるポインティングデバイスの操作に対応して移動するポインタと、前記ポインタを除いたグラフィカルユーザインタフェースとを合わせて表示可能な表示デバイスを有し、前記ポインタの表示方向と前記ポインタを除いたグラフィカルユーザインタフェースの表示方向とが一致している第１の表示モードと、前記ポインタの表示方向と前記ポインタを除いたグラフィカルユーザインタフェースの表示方向とが反転している第２の表示モードと、を備えることを特徴とする。
【０００７】
本発明に係る情報処理装置の制御方法は、ユーザによるポインティングデバイスの操作に対応して移動するポインタと、前記ポインタを除いたグラフィカルユーザインタフェースとを合わせて表示可能な表示デバイスを有する情報処理装置の制御方法であって、前記ポインタの表示方向と前記ポインタを除いたグラフィカルユーザインタフェースの表示方向とが一致している第１の表示モードと、前記ポインタの表示方向と前記ポインタを除いたグラフィカルユーザインタフェースの表示方向とが反転している第２の表示モードと、を備えることを特徴とする。
【０００８】
本発明に係るプログラムは、ユーザによるポインティングデバイスの操作に対応して移動するポインタと、前記ポインタを除いたグラフィカルユーザインタフェースとを合わせて表示可能な表示デバイスを有する情報処理装置に、前記ポインタの表示方向と前記ポインタを除いたグラフィカルユーザインタフェースの表示方向とが一致している第１の表示モードと、前記ポインタの表示方向と前記ポインタを除いたグラフィカルユーザインタフェースの表示方向とが反転している第２の表示モードと、を備えさせることを特徴とする。
【発明の効果】
【０００９】
本発明によれば、１台の情報処理装置を用いて説明者と閲覧者が対面してプレゼンテーションを行う際に、閲覧者にとってプレゼン資料が見やすく、説明者にとってプレゼン資料の操作が容易な情報処理装置、その制御方法及びプログラムを提供することが可能となる。
【発明を実施するための最良の形態】
【００１０】
以下、本発明の好適な実施の形態について図面を参照して説明する。なお、以下では、本発明をノートパソコンに適用した実施形態について記載するが、本発明がこれに限定されるものではないことはいうまでもない。他の適用例としては、ＭＩＤ（モバイルインターネット端末）、ＵＭＰＣ（ウルトラモバイルパーソナルコンピュータ）、ＰＤＡ（Ｐｅｒｓｏｎａｌ  Ｄａｔａ  Ａｓｓｉｓｔａｎｃｅ）、ＰＮＤ（Ｐｅｒｓｏｎａｌ  Ｎａｖｉｇａｔｉｏｎ  Ｄｅｖｉｃｅ）等が挙げられる。
【００１１】
図１は、本実施形態に係るノートパソコン１００の外観斜視図である。
図示のように、ノートパソコン１００は、ディスプレイ１０１とカメラ１０７を備える第１の筐体１０２と、ポインティングデバイス１０５やキーボード１０６等の操作入力手段を備える第２の筐体１０３とが、ヒンジ部１０４を介して連結されている構成である。また、ノートパソコン１００は、第１の筐体１０２とヒンジ部１０４と第２の筐体１０３のなす角が略１８０°になるまで第１の筐体１０２を倒すことができる機構を有する。
【００１２】
上記機構は、ぴったり１８０°になるまで第１の筐体１０２を倒せる構成である必要はなく、以下で説明するように、ノートパソコン１００のユーザに説明を受ける人物がユーザに対面着座して第１の筐体１０２の内側表面に実装されているディスプレイ１０１をのぞき込むことができる角度であれば足りる。ただし、ユーザにも視認性がよい角度であるほうがよいため、１８０°が好適である。
【００１３】
ノートパソコン１００は、上記機構を利用して、ビジネス・プレゼンテーション（以下、「プレゼン」という）の際に用いると便利な機能であるプレゼン支援機能を提供する。プレゼン支援機能は、プレゼンをするユーザが操作入力手段のある第２の筐体１０３側に座り、プレゼンを受ける人物が対面して（すなわち第１の筐体側）座ってディスプレイ１０１をのぞき込むような利用シーンを想定して、プレゼンをするユーザによるポインティングデバイス１０５への入力の反転と、ディスプレイ１０１の表示画面内容の１８０°回転を組み合わせたグラフィカルユーザインタフェース（以下、「ＧＵＩ」という）を提供する機能である。プレゼン支援モードは、この機能を有効にした状態をいう。
【００１４】
図２は、本実施形態に係るノートパソコン１００の機能構成を示す機能ブロック図である。
【００１５】
図示のように、ノートパソコン１００は、図１に示したハードウェアの他、人物感知センサ１０８と制御部１１０を有する。制御部１１０は、プレゼン支援モード判断部１１１、ポインティングデバイス移動情報取得部１１２、上下左右反転制御部１１３、カーソル位置計算部１１４、カーソル表示制御部１１５、ＧＵＩ表示制御部１１６、画面オーバーレイ制御部１１７、画面回転制御部１１８を備える。
【００１６】
ノートパソコン１００は、図示しないＣＰＵ（Ｃｅｎｔｒａｌ  Ｐｒｏｃｅｓｓｉｎｇ  Ｕｎｉｔ）や、メモリ等の１次記憶装置や、ハードディスク等の２次記憶装置を備え、制御部１１０の各部は、これらハードウェアと、当該ハードウェアを利用するソフトウェアプログラムとの協働によって実現される。
【００１７】
図２に示した各部の働きについて、図３，図４のフローチャート図を参照して説明する。図３は、本実施形態に係るノートパソコン１００の動作を示すフローチャート図であり、図４は、本実施形態におけるプレゼン支援モードへの自動移行の手順を示すフローチャート図である。
【００１８】
図３において、プレゼン支援モード判断部１１１は、プレゼン支援モードへの移行を行うか否かの判断を行う（ステップＳ１０１）。プレゼン支援モード判断部１１１が移行しないと判断した場合（ステップＳ１０１、Ｎｏ）、制御部１１０は、ディスプレイ１０１に通常の表示画面を表示させる（ステップＳ１０８）。
【００１９】
本実施形態における、プレゼン支援モードへの自動移行の判断（ステップＳ１０１）について、図４を参照して説明する。
【００２０】
図４において、プレゼン支援モード判断部１１１は、まず、第１の筐体１０２と第２の筐体１０３を開いた開閉角度が１８０°の場合に、プレゼン支援モードへ自動で移行する判断をする（ステップＳ２０１）。開閉角度が１８０°の場合とは、換言すれば、ヒンジ部１０４におけるディスプレイ１０１の設置面とポインティングデバイス１０５の設置面とのなす角が約１８０°になった場合である。
【００２１】
本実施形態においては、プレゼンをするユーザが操作入力手段のある第２の筐体１０３側に座り、プレゼンを受ける人物が対面して（すなわち第１の筐体側）座ってディスプレイ１０１をのぞき込むような利用シーンを想定している。したがって、開閉角度が１８０°になれば自動的にプレゼン支援モードへ移行するよう構成すれば、より利便性が高まる。
【００２２】
図４において、開閉角度が１８０°の場合（ステップＳ２０１、Ｙｅｓ）、さらに、対向位置、すなわち、ポインティングデバイス１０５に対してディスプレイ１０１を挟んで反対側に、人物がいることを検出し（ステップＳ２０２）、その検出結果によって通常表示をするか（ステップＳ２０３）、それとも、プレゼン支援モードへ自動で移行するかを決定する。
【００２３】
人物の検出方法については、図２に示した人物感知センサ１０８による検出を用いてもよいし、第１の筐体上部に設置するカメラ１０７を作動させてカメラ１０７が得た画像情報から人物を検出する方法を用いてもよい。カメラを用いて人物を検出する方法は、新たなハードウェアを設ける必要がなく、低コストで人物検出を実現するため、有利である。
【００２４】
図４において、対向位置に人を検出した場合（ステップＳ２０２、Ｙｅｓ）、さらに、ポインティングデバイス１０５に入力があるか否かを調べる（ステップＳ２０４）。入力がある場合、プレゼン支援モード判断部１１１は、プレゼン支援モードへ自動で移行することを判断する（ステップＳ２０５）。
【００２５】
一方で、入力がない場合、プレゼン支援モード判断部１１１は、画面表示を単に１８０°回転させる処理を行うよう判断する（ステップＳ２０６）。このとき、ポインティングデバイス１０５の入力方向の反転処理は行わない。ユーザがキーボード１０６だけでプレゼンを進める場合や、外付けのマウスを利用するような場合、反転処理が必要ないため、当該処理を省くことによって処理を高速化する。
【００２６】
図３に戻る。プレゼン支援モード判断部１１１が移行すると判断した場合（ステップＳ１０１、Ｙｅｓ）、ポインティングデバイス移動情報取得部１１２は、ポインティングデバイス１０５の移動情報を取得する（ステップＳ１０２）。
【００２７】
ここで、移動情報とは、図５に示すように、ポインティングデバイス１０５を用いてユーザが入力したカーソルをどれくらい移動させるかという情報である。本実施形態においては、本発明を限定するものではないが、ポインティングデバイス１０５をタッチパッドとしている。したがって、図５の例では、ユーザがポインティングデバイス１０５を指等で矢印の方向になぞり、ポインティングデバイス移動情報取得部１１２は、移動情報（Δｘ，Δｙ）を得る。
【００２８】
図３に戻る。次に、取得した移動情報に対して、上下左右反転制御部１１３がその上下左右の移動方向を反転させる（ステップＳ１０３）。図５の例においては、Δｘ，Δｙそれぞれの正負を逆転させる処理を行う。
【００２９】
なお、その後のカーソル表示に関しては、カーソル位置計算部１１４が、移動方向が反転した移動情報に基づいて、カーソルがディスプレイ１０１上を移動する距離及び方向を計算する。次に、カーソル表示制御部１１５が、移動前にカーソルが位置するディスプレイ１０１上の絶対座標と、計算によって求められた移動距離及び方向（相対情報）と、に基づいて、カーソル表示を生成する。
【００３０】
図３に戻る。次に、ＧＵＩ表示制御部１１６が、ディスプレイ１０１に表示するＧＵＩ表示画面を構成する要素のうちカーソル表示を除く部分のＧＵＩ表示を生成する（ステップＳ１０４）。なお、ステップＳ１０４は、ステップＳ１０２、１０３と平行して同時に行ってもよい。
【００３１】
次に、カーソル表示制御部１１５が生成したカーソル表示と、ＧＵＩ表示制御部１１６が生成したＧＵＩ表示を、画面オーバーレイ制御部１１７がオーバーレイによって組み合わせて画面表示を生成する制御を行う（ステップＳ１０５）。
【００３２】
次に、画面回転制御部１１８が、生成された画面表示を１８０°回転させて（ステップＳ１０６）、ディスプレイ１０１へ出力する（ステップＳ１０７）。図６に、ディスプレイ１０１の画面表示が１８０°回転する態様を例示する。
【００３３】
以上に説明した構成及び動作によれば、ユーザによるプレゼンテーションを支援するプレゼン支援モードを備え、装置が前記プレゼン支援モードにあるときに、グラフィカルユーザインタフェースのポインタの移動方向をユーザによる操作の方向と逆転させた上で、前記グラフィカルユーザインタフェースの表示出力を１８０°回転させる制御を行うため、プレゼンを受ける者にとっては見やすく、プレゼンをするユーザにとってはポインティングデバイスの入力とディスプレイ１０１上のカーソルの動きが一致し操作しやすくなる。
【００３４】
プレゼンのために単に画面表示を１８０°回転させるだけの場合、図７（ａ）に示すように、ポインティングデバイス１０５への入力とカーソルの動きが一致しない。ところが、本実施形態によれば、図７（ｂ）に示すように、ポインティングデバイス１０５への入力とカーソルの動きが一致するため、プレゼン時の操作性が著しく改善される。
【００３５】
すなわち、本実施形態によれば、１台の情報処理装置を用いて説明者と閲覧者が対面してプレゼンテーションを行う際に、閲覧者にとってプレゼン資料が見やすく、説明者にとってプレゼン資料の操作が容易になる。また、本実施形態によれば、特別なハードウェアを特に必要としないため、コストアップせずに操作性の向上が実現する。また、本実施形態の各機能は、実装が容易である。
【００３６】
以上、本発明の好適な実施の形態について説明したが、本発明はこれに限定されるものではなく、要旨を逸脱しない範囲内で種々の変形実施が可能である。
【図面の簡単な説明】
【００３７】
【図１】本発明による実施形態に係るノートパソコンの外観斜視図である。
【図２】本発明による実施形態に係るノートパソコンの機能構成を示すブロック図である。
【図３】本発明による実施形態の動作を示すフローチャート図である。
【図４】本発明による実施形態におけるプレゼン支援モードへの自動移行の手順を示すフローチャート図である。
【図５】本発明による実施形態におけるポインティングデバイスを用いたカーソルの移動情報について説明するための図である。
【図６】本発明による実施形態における画面表示の回転について説明するための図である。
【図７】本発明による実施形態におけるポインティングデバイスの入力と、回転した画面表示上のカーソルの動きとを説明するための図である。
【符号の説明】
【００３８】
１００    ノートパソコン
１０１    ディスプレイ
１０２    第１の筐体
１０３    第２の筐体
１０４    ヒンジ部
１０５    ポインティングデバイス
１０６    キーボード
１０７    カメラ
１０８    人物感知センサ
１１０    制御部
１１１    プレゼン支援モード判断部
１１２    ポインティングデバイス移動情報取得部
１１３    上下左右反転制御部
１１４    カーソル位置計算部
１１５    カーソル表示制御部
１１６    ＧＵＩ表示制御部
１１７    画面オーバーレイ制御部
１１８    画面回転制御部
【図１】
2010086079.tif 000003
【図２】
2010086079.tif 000004
【図３】
2010086079.tif 000005
【図４】
2010086079.tif 000006
【図５】
2010086079.tif 000007
【図６】
2010086079.tif 000008
【図７】
2010086079.tif 000009